(57)【要約】【課題】保持部材の劣化を抑制できるプロジェクターを提供すること。【解決手段】光源装置と、前記光源装置から出射された光を変調する光変調装置と、前記光源装置から出射された光を前記光変調装置に導く光学部品と、前記光学部品を保持し、樹脂材料により形成された保持部材と、前記保持部材に取り付けられ、前記光源装置を支持する中間部材と、前記光変調装置によって変調された光を投射する投射光学装置と、を備え、前記光源装置は、光源と、前記光源を収容し、第１金属材料により形成された収容体と、を有し、前記中間部材は、第２金属材料により形成されていることを特徴とするプロジェクター。【選択図】図７
2018017958.tif 000002
【特許請求の範囲】
【請求項１】
光源装置と、
前記光源装置から出射された光を変調する光変調装置と、
前記光源装置から出射された光を前記光変調装置に導く光学部品と、
前記光学部品を保持し、樹脂材料により形成された保持部材と、
前記保持部材に取り付けられ、前記光源装置を支持する中間部材と、
前記光変調装置によって変調された光を投射する投射光学装置と、を備え、
前記光源装置は、
光源と、
前記光源を収容し、第１金属材料により形成された収容体と、を有し、
前記中間部材は、第２金属材料により形成されていることを特徴とするプロジェクター。
【請求項２】
請求項１に記載のプロジェクターにおいて、
前記第１金属材料及び前記第２金属材料は、同一の金属材料であることを特徴とするプロジェクター。
【請求項３】
請求項１又は請求項２に記載のプロジェクターにおいて、
前記中間部材は、
前記光源装置の光出射面に対向する本体部と、
前記光源装置から出射された光の進行方向とは反対方向に向けて前記本体部から延出し、前記収容体と当接される延出部と、を有し、
前記本体部は、前記保持部材と接続される接続部を有することを特徴とするプロジェクター。
【請求項４】
請求項３に記載のプロジェクターにおいて、
前記本体部及び前記保持部材の少なくとも一方は、他方に向けて突出して、前記他方と接触する凸部を有することを特徴とするプロジェクター。
【請求項５】
請求項４に記載のプロジェクターにおいて、
前記本体部は、前記凸部として、前記保持部材側に突出する本体部側凸部を有し、
前記保持部材は、前記凸部として、前記本体部側に突出する保持部材側凸部を有し、
前記本体部側凸部における前記本体部からの突出方向側の面と、前記保持部材側凸部における前記保持部材からの突出方向側の面とは、当接することを特徴とするプロジェクター。
【請求項６】
請求項４又は請求項５に記載のプロジェクターにおいて、
前記凸部は、前記中間部材と前記保持部材とを固定する固定部材が挿通する孔部を有することを特徴とするプロジェクター。
【請求項７】
請求項３から請求項６のいずれか一項に記載のプロジェクターにおいて、
前記収容体は、前記進行方向に直交する方向に突出する第１突起部を有し、
前記延出部は、
前記第１突起部が挿入される被挿入部と、
前記本体部と前記被挿入部との間に位置する開口部と、を有することを特徴とするプロジェクター。
【請求項８】
請求項７に記載のプロジェクターにおいて、
前記延出部は、放熱部を有することを特徴とするプロジェクター。
【請求項９】
請求項７又は請求項８に記載のプロジェクターにおいて、
前記収容体は、前記第１突起部とは異なる位置から、前記第１突起部の突出方向と略同方向に沿って突出する第２突起部を有し、
前記本体部は、前記延出部とは反対側の部位に位置し、前記第２突起部が挿入される凹部を有することを特徴とするプロジェクター。
【請求項１０】
請求項３から請求項９のいずれか一項に記載のプロジェクターにおいて、
前記本体部は、
前記反対方向に突出する突出部と、
前記突出部に位置し、前記中間部材に固定される固定部と、を有し、
前記固定部は、前記光出射面よりも前記反対方向に位置することを特徴とするプロジェクター。
【発明の詳細な説明】
【技術分野】
【０００１】
本発明は、プロジェクターに関する。
【背景技術】
【０００２】
従来、光源装置と、当該光源装置から出射された光を変調して画像情報に応じた画像を形成する光変調装置と、形成された画像をスクリーン等の被投射面上に拡大投射する投射光学装置と、これらを内部に収容する筐体と、を備えたプロジェクターが知られている。
このようなプロジェクターとして、筐体に形成された開口部を介して光源装置（ランプユニット）を交換可能なプロジェクターが知られている（例えば、特許文献１参照）。
【０００３】
上記特許文献１に記載のプロジェクターでは、ランプユニットは、光源として機能するランプと、当該ランプの出射光を集光する集光レンズと、ランプ及び集光レンズを保持するランプホルダーと、を有する。これらのうち、ランプホルダーは、熱伝導率の高いアルミダイキャスト等の金属材料にて構成され、ランプユニットからの出射光を光変調装置に導く光学部品を保持する保持部材の所定位置（ランプハウス）に装着される。
【先行技術文献】
【特許文献】
【０００４】
【特許文献１】特開２０１３−１１８７８号公報
【発明の概要】
【発明が解決しようとする課題】
【０００５】
ところで、上記特許文献１に記載のプロジェクターにおいて、プロジェクターの軽量化を図るため、上記保持部材を、樹脂材料等により形成することが考えられる。しかしながら、樹脂材料により形成された保持部材は、熱に比較的弱い。このため、熱伝導率が高い金属材料により構成されたランプホルダーが保持部材に直接接触すると、当該保持部材におけるランプユニットの接触部位の温度が局所的に上昇し、当該保持部材が劣化しやすくなるという問題がある。
【０００６】
本発明は、上記課題の少なくとも一部を解決することを目的とするものであり、保持部材の劣化を抑制できるプロジェクターを提供することを目的の１つとする。
【課題を解決するための手段】
【０００７】
本発明の一態様に係るプロジェクターは、光源装置と、前記光源装置から出射された光を変調する光変調装置と、前記光源装置から出射された光を前記光変調装置に導く光学部品と、前記光学部品を保持し、樹脂材料により形成された保持部材と、前記保持部材に取り付けられ、前記光源装置を支持する中間部材と、前記光変調装置によって変調された光を投射する投射光学装置と、を備え、前記光源装置は、光源と、前記光源を収容し、第１金属材料により形成された収容体と、を有し、前記中間部材は、第２金属材料により形成されていることを特徴とする。
【０００８】
上記一態様によれば、光源装置は、中間部材を介して保持部材に取り付けられるので、光源装置が保持部材に直接接続される場合に比べて、光源装置（収容体）の熱を保持部材に伝達しにくくすることができる。また、第１金属材料により形成される収容体の熱が、直接伝達される中間部材が、第２金属材料により形成されているので、当該中間部材に上記熱が伝達される際に、上記熱の一部が放熱される。これによれば、光源装置からの熱の少なくとも一部が中間部材により放熱された後に、樹脂材料により形成される保持部材に伝達される。従って、保持部材の劣化を抑制することができる。
ここで、保持部材の劣化が生じた場合、光源装置から出射される光の中心軸が設計上の光軸からずれる可能性がある。この場合、光源装置から出射された光を有効に用いることができないので、プロジェクターの投射光学装置から投射される画像の光量が低下する可能性がある。
これに対し、上記一態様では、保持部材の劣化を抑制できるので、プロジェクターの信頼性を高めることができる。
【０００９】
上記一態様では、前記第１金属材料及び前記第２金属材料は、同一の金属材料であることが好ましい。
ここで、金属材料は、高温になると膨張することが知られている。このため、光源装置を形成する第１金属材料と、中間部材を形成する第２金属材料の成分が異なる場合、熱の上昇による膨張率が異なるため、当該中間部材に光源装置を装着できない場合、及び、当該中間部材から光源装置を取外しできない可能性がある。
これに対し、上記一態様では、収容体及び中間部材が同一の金属材料により形成されているので、収容体及び中間部材が熱により膨張した場合でも、中間部材に対して光源装置を容易に脱着できる。
【００１０】
上記一態様では、前記中間部材は、前記光源装置の光出射面に対向する本体部と、前記光源装置から出射された光の進行方向とは反対方向に向けて前記本体部から延出し、前記収容体と当接される延出部と、を有し、前記本体部は、前記保持部材と接続される接続部を有することが好ましい。
このような構成によれば、保持部材と接続される接続部が、収容体と接続される延出部とは異なる本体部の部位に位置するので、延出部を介して中間部材に伝導される収容体の熱を、保持部材に伝わりにくくすることができる。従って、接続部材の劣化を抑制でき、ひいては、当該接続部材により本体部に接続される保持部材の劣化を抑制できる。
【００１１】
上記一態様では、前記本体部及び前記保持部材の少なくとも一方は、他方に向けて突出して、前記他方と接触する凸部を有することが好ましい。
このような構成によれば、本体部と保持部材とは、上記凸部のみが当接するので、本体部の全領域と保持部材の全領域とが当接する場合に比べて、保持部材と本体部との接触面積を小さくすることができる。従って、本体部から保持部材に熱を伝わりにくくすることができる。
【００１２】
上記一態様では、前記本体部は、前記凸部として、前記保持部材側に突出する本体部側凸部を有し、前記保持部材は、前記凸部として、前記本体部側に突出する保持部材側凸部を有し、前記本体部側凸部における前記本体部からの突出方向側の面と、前記保持部材側凸部における前記保持部材からの突出方向側の面とは、当接することが好ましい。
このような構成によれば、中間部材が保持部材に取り付けられた際に本体部側凸部及び保持部材側凸部が当接するので、本体部の全領域と保持部材の全領域とが当接する場合に比べて本体部に伝達された上記熱が保持部材に伝達されることを抑制できる。また、本体部及び保持部材のいずれにも凸部が設けられているので、例えば、中間部材にのみ凸部が設けられている場合に比べて、保持部材の当該凸部が当接する部位の劣化を抑制できる。
【００１３】
上記一態様では、前記凸部は、前記中間部材と前記保持部材とを固定する固定部材が挿通する孔部を有することが好ましい。
上記固定部材としては、例えば、ねじを例示できる。
ここで、ねじは、一般的に熱伝導率が高い金属材料により形成されているので、当該ねじの温度は、例えば、樹脂材料により形成された保持部材よりも上昇しやすい。
これに対し、上記一態様では、凸部は、上記固定部材が挿通する孔部を有しているので、当該ねじを凸部により覆うことができる。従って、ねじからの熱が保持部材に伝達することを抑制できる。
【００１４】
上記一態様では、前記収容体は、前記進行方向に直交する方向に突出する第１突起部を有し、前記延出部は、前記第１突起部が挿入される被挿入部と、前記本体部と前記被挿入部との間に位置する開口部と、を有することが好ましい。
ここで、光源装置は、上記光の出射面の下側、すなわち、延出部と当接する部位の温度が最も高くなる可能性が高い。
これに対し、このような構成によれば、収容体の第１突起部が延出部の被挿入部に挿入されるので、例えば、当該最も温度が上昇する部位が本体部に固定される場合に比べて、中間部材の温度が上昇することを抑制できる。また、開口部が被挿入部よりも本体部側に形成されているので、中間部材の延出部に収容体の第１突起部から伝達された熱が直線的に本体部に伝導されることを抑制できる。すなわち、延出部の熱が開口部を避けて本体部に伝導されるので、開口部が形成されていない場合に比べて、本体部の熱が上昇することを抑制できる。
【００１５】
上記一態様では、前記延出部は、放熱部を有することが好ましい。
このような構成によれば、延出部に放熱部が形成されているので、収容体からの熱を当該放熱部により放熱することができる。従って、本体部に熱が伝導されることをより抑制できるので、保持部材の劣化を更に抑制できる。
【００１６】
上記一態様では、前記収容体は、前記第１突起部とは異なる位置から、前記第１突起部の突出方向と略同方向に沿って突出する第２突起部を有し、前記本体部は、前記延出部とは反対側の部位に位置し、前記第２突起部が挿入される凹部を有することが好ましい。
このような構成によれば、第１突起部と異なる位置に設けられた第２突起部が、本体部における延出部とは反対側の位置に形成された凹部に挿入されるので、収容体は、それぞれ異なる部位に位置する第１突起部及び第２突起部により中間部材に支持される。これによれば、収容体を中間部材に確実に固定できる。
【００１７】
上記一態様では、前記本体部は、前記反対方向に突出する突出部と、前記突出部に位置し、前記中間部材に固定される固定部と、を有し、前記固定部は、前記光出射面よりも前記反対方向に位置することが好ましい。
このような構成によれば、固定部が、光源装置における光出射面よりも光の進行方向とは反対方向側に位置するので、当該固定部に光源装置からの光が照射されることがない。従って、固定部の温度が上昇することを抑制できるので、中間部材から保持部材に上記光源装置からの熱が伝達することを抑制でき、当該保持部材の劣化を抑制できる。
【図面の簡単な説明】
【００１８】
【図１】本発明の一実施形態に係るプロジェクターを正面側から見た斜視図。
【図２】本発明の一実施形態に係るプロジェクターを側面側から見た斜視図。
【図３】上記実施形態における画像投射装置の概略構成を示す平面図。
【図４】上記実施形態における光学部品用筐体に光源装置が取り付けられた状態を示す斜視図。
【図５】上記実施形態における光源装置を光出射面とは反対方向側から見た斜視図。
【図６】上記実施形態における光源装置を光出射面側から見た斜視図。
【図７】上記実施形態における光学部品用筐体に中間部材が取り付けられた状態を示す斜視図。
【図８】上記実施形態における光学部品用筐体を示す斜視図。
【図９】上記実施形態における中間部材を光入射面側から見た斜視図。
【図１０】上記実施形態における中間部材を光出射面側から見た斜視図。
【図１１】上記実施形態における中間部材が組み合わされた光学部品用筐体の右側面図。
【図１２】上記実施形態における中間部材が組み合わされた光学部品用筐体の左側面図。
【図１３】上記実施形態における中間部材が組み合わされた光学部品用筐体の天面図。
【発明を実施するための形態】
【００１９】
以下、本発明の一実施形態について、図面に基づいて説明する。
［プロジェクターの概略構成］
図１は、本実施形態に係るプロジェクター１を正面側上方から見た斜視図であり、図２は、プロジェクター１を側面側上方から見た斜視図である。
本実施形態に係るプロジェクター１は、光源から出射された光を変調して画像情報に応じた画像を形成し、当該画像をスクリーン等の被投射面上に拡大投射する画像表示装置である。このプロジェクター１は、図１及び図２に示すように、外装を構成する外装筐体２と、当該外装筐体２内に配置される装置本体（図示省略）と、を備える。この装置本体は、後述する画像投射装置４（図３参照）の他、冷却装置、制御装置及び電源装置を備える。
このようなプロジェクター１は、携帯可能に薄型化されたモバイルプロジェクターとして構成されている。そして、当該プロジェクター１は、光源装置４１から出射される光を光変調装置４５３に導く光学部品を保持する樹脂材料により形成された光学部品用筐体６（図３参照）が樹脂材料により形成され、当該光学部品用筐体６に取り付けられた光源装置４１を支持する中間部材７が金属材料により形成されていることによって、光源装置４１からの熱が光学部品用筐体６に伝達することを抑制できる点を特徴の１つとしている。
以下、プロジェクター１の各構成について詳述する。
【００２０】
［外装筐体の構成］
外装筐体２は、図１及び図２に示すように、全体略直方体形状に形成されている。この外装筐体２は、アッパーケース２１及びロアーケース２２を有し、これらが組み合わされて構成されている。このような外装筐体２は、天面部２Ａ、底面部２Ｂ、正面部２Ｃ、背面部２Ｄ、左側面部２Ｅ及び右側面部２Ｆを有する。
【００２１】
天面部２Ａは、後述する投射光学装置４６の鏡筒４６１に設けられた操作レバー４６２を露出させる開口部２Ａ１を有する。この操作レバー４６２は、当該投射光学装置４６によって投射される画像のフォーカス調整又はズーム調整を行うためのレバーである。また、天面部２Ａは、プロジェクター１に対する各種操作を受け付ける操作パネル２Ａ２を有する。更に、天面部２Ａは、光源装置４１（図３参照）を交換する際に開閉するランプカバー２Ａ３を有する。
右側面部２Ｆには、外部の空気を冷却気体として外装筐体２の内部に導入する吸気口２Ｆ１を有する。
【００２２】
正面部２Ｃは、開口部２Ｃ１及び排気口２Ｃ２を有する。開口部２Ｃ１は、正面部２Ｃにおける略中央に位置し、投射光学装置４６から投射される画像を通過させる。排気口２Ｃ２は、正面部２Ｃの左側面部２Ｅ側に位置し、外装筐体２内を流通した冷却気体を排出する。この排気口２Ｃ２には、仕切部材２Ｃ３が嵌め込まれており、当該仕切部材２Ｃ３は、縦横に延出する複数のルーバー２Ｃ４を有する。
底面部２Ｂは、図示を省略するが、上記冷却装置を構成する排気ファン（図示省略）に応じた位置に吸気口を有する。この吸気口を介して、外装筐体２外の空気が上記排気ファンによって取り込まれ、当該外装筐体２内を流通した冷却気体と混ざることにより、当該排気ファンによって排気口２Ｃ２から排出される気体の温度が下げられる。
【００２３】
［画像投射装置の構成］
図３は、画像投射装置４の構成を示す模式図である。
画像投射装置４は、上記制御装置による制御の下、画像情報に応じた画像を形成及び投射する。この画像投射装置４は、図３に示すように、光源装置４１、均一化装置４２、色分離装置４３、リレー装置４４、電気光学装置４５、投射光学装置４６、光学部品用筐体６及び中間部材７を備える。
【００２４】
光源装置４１は、均一化装置４２に向けて光を出射する。この光源装置４１は、発光管４１１、反射鏡４１２、平行化レンズ４１３及び収容体５を有する。これらのうち、収容体５の構成については、後に詳述する。
均一化装置４２は、光源装置４１から入射される光束の中心軸に直交する面内の照度を均一化する。この均一化装置４２は、光源装置４１からの光束の入射順に、第１レンズアレイ４２１、調光装置４２２、第２レンズアレイ４２３、偏光変換素子４２４及び重畳レンズ４２５を有する。なお、調光装置４２２は、無くてもよい。
【００２５】
色分離装置４３は、均一化装置４２から入射される光束から、赤（Ｒ）、緑（Ｇ）及び青（Ｂ）の３つの色光を分離する。この色分離装置４３は、ダイクロイックミラー４３１，４３２及び反射ミラー４３３を有する。
リレー装置４４は、分離された３つの色光のうち、他の色光に比べて光路が長い赤色光の光路上に設けられる。このリレー装置４４は、入射側レンズ４４１、リレーレンズ４４３及び反射ミラー４４２，４４４を有する。
【００２６】
電気光学装置４５は、分離された各色光を画像情報に応じてそれぞれ変調した後、当該各色光を合成して、投射光学装置４６によって投射される画像光を形成する。この電気光学装置４５は、各色光に応じて設けられる３つのフィールドレンズ４５１、３つの入射側偏光板４５２、光変調装置としての３つの光変調装置４５３（赤、緑及び青用の光変調装置をそれぞれ４５３Ｒ，４５３Ｇ，４５３Ｂとする）及び３つの出射側偏光板４５４と、１つの色合成装置４５５と、を有する。これらのうち、色合成装置４５５は、変調された各色光を合成するものであり、本実施形態ではクロスダイクロイックプリズムによって構成されている。しかしながら、これに限らず、色合成装置４５５は、複数のダイクロイックミラーによって構成することも可能である。
【００２７】
投射光学装置４６は、電気光学装置４５によって形成された画像光を上記被投射面上に拡大投射する。この投射光学装置４６は、複数のレンズ（図示省略）と、当該複数のレンズを内部に収納する鏡筒４６１とを備えた組レンズとして構成されている。これらのうち、鏡筒４６１には、上記操作レバー４６２（図１及び図２参照）が外周面に設けられている。
【００２８】
図４は、光学部品用筐体６に光源装置４１が取り付けられた状態を示す斜視図である。なお、図４においては、上記各装置４２〜４６の図示を省略している。
光学部品用筐体６は、図４に示すように、上記装置４２〜４６を構成する光学部品の一部を支持する他、中間部材７を介して光源装置４１を支持する。この光学部品用筐体６には、図３に示すように、照明光軸ＡＸが設定されており、上記各装置４２〜４６は、当該照明光軸Ａｘ上の所定位置に配置される。例えば、光源装置４１が光学部品用筐体６に中間部材７を介して接続された際には、当該光源装置４１から出射される光束の中心軸は、照明光軸ＡＸと一致する。
光学部品用筐体６は、本発明の保持部材に相当し、中間部材７は、光学部品用筐体６に取り付けられ、光源装置４１を支持する。なお、光学部品用筐体６及び中間部材７の構成について、詳しくは後述する。
【００２９】
［光源装置の収容体の構成］
図５は、光源装置４１を光出射側とは反対側から見た斜視図であり、図６は、光源装置４１を光出射側から見た斜視図である。
収容体５は、それぞれ上記した発光管４１１、反射鏡４１２及び平行化レンズ４１３を収容する光源用筐体である。この収容体５は、図５及び図６に示すように、光源装置４１において光出射方向側に位置する第１本体部５Ａと、当該第１本体部５Ａに対して光出射方向とは反対方向側に位置する第２本体部５Ｂと、第１本体部５Ａに取り付けられるダクト部材５Ｃと、を備える。
なお、以下の説明では、互いに直交する＋Ｘ方向、＋Ｙ方向及び＋Ｚ方向のうち、＋Ｚ方向を、左側面部２Ｅ側から右側面部２Ｆ側に向かう方向、すなわち、光源装置４１から出射された光の進行方向とする。また、＋Ｘ方向を、背面部２Ｄ側から正面部２Ｃ側に向かう方向とし、＋Ｙ方向を、底面部２Ｂ側から天面部２Ａ側に向かう方向とする。すなわち、＋Ｚ方向は、正面部２Ｃに正対した場合のプロジェクター１（外装筐体２）の幅方向に沿う方向であり、＋Ｙ方向は、プロジェクター１（外装筐体２）の高さ方向であり、＋Ｘ方向は、＋Ｙ方向側から見て、投射光学装置４６によって画像が投射される方向に沿う方向である。また、＋Ｚ方向とは反対方向を−Ｚ方向とする。−Ｘ方向及び−Ｙ方向も同様である。
【００３０】
これらのうち、第１本体部５Ａ及び第２本体部５Ｂは、発光管４１１及び反射鏡４１２を＋Ｚ方向において挟むように組み合わされ、第１本体部５Ａ内には、平行化レンズ４１３が配置される。そして、第１本体部５Ａにダクト部材５Ｃが組みつけられる。これにより、収容体５内に、発光管４１１、反射鏡４１２及び平行化レンズ４１３が配置される。
また、このように第１本体部５Ａ、第２本体部５Ｂ及びダクト部材５Ｃが組み合わされることにより構成される収容体５は、金属材料（第１金属材料）により形成されている。本実施形態では、例えば、収容体５は、マグネシウムにより形成されている。
【００３１】
このような収容体５は、天面部５１、底面部５２、正面部５３、背面部５４、左側面部５５及び右側面部５６を有する。これらのうち、天面部５１、底面部５２、左側面部５５及び右側面部５６のそれぞれは、第１本体部５Ａ、第２本体部５Ｂ及びダクト部材５Ｃのそれぞれにより構成される。また、正面部５３は、ダクト部材５Ｃにより構成され、背面部５４は、第２本体部５Ｂにより構成される。
なお、ダクト部材５Ｃの導入口５Ｃ１から流入する冷却気体は、収容体５の右側面部５６の排気口５Ｃ２に向かって流通し、当該光源装置４１を冷却している。
【００３２】
そして、光源装置４１が上記光学部品用筐体６に対して中間部材７を介して接続され、これらがロアーケース２２内に配置される際には、当該光源装置４１は、天面部５１が上記天面部２Ａ側（＋Ｙ方向側）を向き、底面部５２が上記底面部２Ｂ側（−Ｙ方向側）を向き、左側面部５５が背面部２Ｄ側（−Ｘ方向側）を向き、右側面部５６が正面部２Ｃ側（＋Ｘ方向側）を向くように配置される。すなわち、光源装置４１は、左側面部２Ｅ側（−Ｚ方向側）から右側面部２Ｆ側（＋Ｚ方向側）に光を出射する。
これらのうち、天面部５１は、図５及び図６に示すように、光源装置４１を挿抜する際に、当該光源装置４１を把持するための把手５１１を有する。また、右側面部５６は、光源装置４１がロアーケース２２に固定される際に、当該光源装置４１に電力を供給するコネクター（図示省略）が接続される接続部５６１を有する。
【００３３】
［正面部の構成］
正面部５３は、光源装置４１から出射される光の出射面（光出射面４１Ａ）を構成する。この正面部５３は、図６に示すように、発光管４１１から出射されて反射鏡４１２により反射され、平行化レンズ４１３により平行化された光が透過する開口部５３１を有し、当該開口部５３１を閉塞するように、透光性部材５３２が取り付けられている。この透光性部材５３２は、例えば、ガラスにより形成されているが、これに限らず、例えば、平行化レンズ４１３であってもよい。
また、正面部５３は、開口部５３１及び透光性部材５３２の他、係止部５３３、２つのピン５３４及び凸部５３５を有する。
【００３４】
係止部５３３は、本発明の第２突起部に相当し、正面部５３における一端側に位置し、中間部材７に係合する。詳述すると、係止部５３３は、光源装置４１が外装筐体２内に配置された際に、正面部５３における＋Ｙ方向側、かつ、＋Ｘ方向側に位置し、−Ｙ方向（後述する第１突起部と略同方向に沿って）に延びる板状の部位である。この係止部５３３は、後述する中間部材７の突出部７３における凹部７４に嵌めこまれる。
２つのピン５３４は、本発明の第１突起部に相当し、正面部５３における−Ｙ方向側の位置で、かつ、＋Ｘ方向側の位置及び−Ｘ方向側の位置から、−Ｙ方向側に突出している。これら２つのピン５３４は、後述する中間部材７の延出部７２における２つの被挿入部７２１（図９参照）に挿入される。
凸部５３５は、後述する中間部材７の延出部７２における凹部７２３に対向する位置に配置される。
これら正面部５３の係止部５３３及び２つのピン５３４が中間部材７の凹部７４及び被挿入部７２１に挿入されることにより、光源装置４１が中間部材７を介して光学部品用筐体６に装着される。
【００３５】
［光学部品用筐体の構成］
図７は、光学部品用筐体６に中間部材７が取り付けられた状態を示す斜視図である。
光学部品用筐体６は、図７に示すように、部品収納部６１及び取付部６２を有し、樹脂材料により形成されている。部品収納部６１は、＋Ｙ方向側に開口し、かつ、上記均一化装置４２、色分離装置４３及びリレー装置４４を構成する各光学部品が挿入されて配置される複数の溝部６１１と、他の光学部品を係止する複数の係止部６１２と、を内部に有する箱状部材である。
【００３６】
［取付部の構成］
図８は、光学部品用筐体６を示す斜視図である。
取付部６２は、光源装置４１が装着される中間部材７が固定部材としてのねじＳ１により固定される部位である。この取付部６２は、図８に示すように、第１起立部６２１、第２起立部６２２及び突出部６２３を有する。
第１起立部６２１及び第２起立部６２２は、後述する中間部材７の本体部７１に対向する部位であり、それぞれ＋Ｙ方向に向けて光学部品用筐体６の底部から起立している。具体的に、第１起立部６２１は、取付部６２における−Ｘ方向側に位置し、第２起立部６２２は、＋Ｘ方向側に位置している。これら第１起立部６２１における−Ｚ方向側の面６２１Ａと、第２起立部６２２における−Ｚ方向側の面６２２Ａとは、それぞれＸＹ平面に沿う面である。
【００３７】
これらのうち、第１起立部６２１は、面６２１Ａに、第１凹部６２１１、第２凹部６２１２、ねじ孔６２１３及び位置決め孔６２１４を有する。
第１凹部６２１１及び第２凹部６２１２は、−Ｘ方向側に開口する略半長円形状の凹部であり、第１凹部６２１１は、第２凹部６２１２よりも＋Ｙ方向側に位置している。
ねじ孔６２１３は、第２凹部６２１２の略中央に形成されている。このねじ孔６２１３には、後述する固定部材としてのねじＳ１が螺合される。
位置決め孔６２１４は、第１凹部６２１１及び第２凹部６２１２の間に位置し、当該位置決め孔６２１４には、後述する中間部材７の位置決めピン７１７が挿入される。
第２起立部６２２は、面６２２Ａに、−Ｘ方向側に開口する略半円形状の凹部６２２１を有する。
【００３８】
突出部６２３は、第２起立部６２２に対して＋Ｘ方向側に位置し、上記面６２１Ａ，６２２Ａにより規定されるＸＹ平面より−Ｚ方向側に突出している。この突出部６２３は、第２起立部６２２の面６２２Ａから連続して−Ｚ方向に向けて延びる第１面６２３Ａと、当該第１面６２３Ａに直交し、かつ、上記面６２１Ａ，６２２Ａに平行な第２面６２３Ｂと、を有する。これらのうち、第２面６２３Ｂは、＋Ｙ方向側に位置する上側面６２３Ｂ１と、−Ｙ方向側に位置する下側面６２３Ｂ２と、を有し、これら上側面６２３Ｂ１及び下側面６２３Ｂ２は、互いに平行である。
【００３９】
上側面６２３Ｂ１には、−Ｚ方向側に突出する環状の凸部６２３１が形成されている。この凸部６２３１は、本発明の保持部材側凸部に相当し、当該凸部６２３１の略中央には、ねじ孔６２３２が形成されている。このねじ孔６２３２には、上記ねじＳ１が螺合される。
下側面６２３Ｂ２には、−Ｚ方向側に突出する環状の凸部６２３３が形成されている。この凸部６２３３は、本発明の保持部材側凸部に相当し、当該凸部６２３３の略中央にも、上記ねじ孔６２３２と同形状のねじ孔６２３４が形成され、上記ねじＳ１が螺合される。これらねじ孔６２３２，６２３４は、上記第１起立部６２１に形成されたねじ孔６２１３よりも、−Ｚ方向側に位置している。
また、下側面６２３Ｂ２は、位置決め孔６２３５を有し、当該位置決め孔６２３５は、上記凸部６２３３よりも−Ｙ方向側に位置している。更に、上記第１面６２３Ａと上側面６２３Ｂ１との間には、切欠６２３６が形成され、当該切欠６２３６には、後述する凹部７４が位置する。
【００４０】
［中間部材の構成］
図９は、中間部材７を−Ｚ方向側から見た斜視図であり、図１０は、中間部材７を＋Ｚ方向側から見た斜視図である。
中間部材７は、上記取付部６２に取り付けられるとともに、光源装置４１を支持する部材である。この中間部材７は、金属材料（第２金属材料）により形成され、図９及び図１０に示すように、本体部７１、延出部７２及び突出部７３を有する。
なお、本実施形態では、中間部材７は、マグネシウムにより形成されている。すなわち、中間部材７と光源装置４１の収容体５とは、同一の金属材料（マグネシウム）により形成されている。
【００４１】
［本体部の構成］
本体部７１は、光源装置４１の光出射面４１Ａに対向して配置される。この本体部７１は、光入射側（−Ｚ方向側）の面７１Ａ及び光出射側（＋Ｚ方向側）の面７１Ｂを有する。この他、本体部７１は、開口部７１１、遮蔽部７１２、凸部７１３、孔部７１４、第１当接部７１５、第２当接部７１６、及び位置決めピン７１７を有する。
開口部７１１は、本体部７１の略中央に矩形状に形成され、光源装置４１から出射された光が通過する開口部である。
遮蔽部７１２は、開口部７１１の端縁から＋Ｚ方向に起立する部位である。この遮蔽部７１２は、光源装置４１から出射された光が当該第１起立部６２１及び第２起立部６２２に入射することを抑制する。
【００４２】
凸部７１３は、本発明の接続部に相当し、面７１Ｂから＋Ｚ方向に突出する環状の部位であり、本体部７１の−Ｘ方向側の端部における−Ｙ方向側に位置する。この凸部７１３の略中央には、上記固定部材としてのねじＳ１が挿通する孔部７１４が形成されている。この凸部７１３は、当該中間部材７が取付部６２に固定される際に、上記第２凹部６２１２に対向して配置され、当該孔部７１４を介してねじＳ１がねじ孔６２１３に螺合する。これにより、凸部７１３は、第２凹部６２１２内に固定される。なお、面７１Ａには、凸部７１３に応じて＋Ｚ方向側に凹む凹部７１３Ａが形成されている。
また、凸部７１３の突出寸法（＋Ｚ方向に沿う寸法）は、上記第２凹部６２１２の深さ寸法よりも大きく設定されている。
位置決めピン７１７は、第１起立部６２１の位置決め孔６２１４に挿入され、中間部材７（本体部７１）を位置決めする。
【００４３】
第１当接部７１５は、面７１Ｂから＋Ｚ方向に突出する円柱状の凸部であり、当該面７１Ｂにおける−Ｘ方向側の端部における＋Ｙ方向側に位置する。この第１当接部７１５は、当該中間部材７が取付部６２に取り付けられる際に、上記第１凹部６２１１の底面（ＸＹ平面に沿う面）に当接する。
【００４４】
第２当接部７１６は、面７１Ｂから＋Ｚ方向に突出する円柱状の凸部であり、当該面７１Ｂにおける＋Ｘ方向側の端部における略中央に位置する。すなわち、第２当接部７１６は、開口部７１１を挟んで凸部７１３及び第１当接部７１５とは反対方向側に位置する。この第２当接部７１６は、当該中間部材７が取付部６２に取り付けられる際に、上記凹部６２２１の底面（ＸＹ平面に沿う面）に当接する。
なお、詳しくは後述するが、平坦面である面７１Ｂからの上記凸部７１３、第１当接部７１５及び第２当接部７１６の突出寸法は、略同一である。すなわち、凸部７１３、第１当接部７１５及び第２当接部７１６の突出方向先端部は、ＸＹ平面に沿う同一平面上に位置している。
【００４５】
［延出部の構成］
延出部７２は、図９及び図１０に示すように、本体部７１の−Ｙ方向側の端部から、−Ｚ方向側に延出している。この延出部７２は、収容体５の底面部５２と対向し、当該収容体５を支持する部位である。このような延出部７２は、２つの被挿入部７２１、２つの凸部７２２、凹部７２３、２つの開口部７２４及び放熱部７２５を有する。
２つの被挿入部７２１は、＋Ｙ方向に沿って延出部７２を貫通する孔である。これら被挿入部７２１には、収容体５の上記ピン５３４がそれぞれ挿入され、当該収容体５が延出部７２に取り付けられる。このように、被挿入部７２１にピン５３４が挿入されることから、延出部７２に光源装置４１（収容体５）の熱が伝達される。
２つの凸部７２２は、上記２つの被挿入部７２１の周囲に位置し、延出部７２の＋Ｙ方向側の面７２Ａから＋Ｙ方向にわずかに突出している。これら凸部７２２には、収容体５におけるピン５３４の周囲の部位が当接する。
凹部７２３は、面７２Ａの−Ｚ方向側の端部における２つの凸部７２２の間に位置する。この凹部７２３は、上記凸部５３５に応じて形成されている。
【００４６】
２つの開口部７２４は、本体部７１及び延出部７２に跨って形成される略矩形状の開口部である。すなわち、各開口部７２４は、延出部７２における本体部７１側の端部と上記被挿入部７２１との間に形成されている。これら２つの開口部７２４のそれぞれの＋Ｘ方向における寸法は、凸部７２２の＋Ｘ方向における寸法と略同寸法に設定されている。このように、各開口部７２４は、被挿入部７２１及び凸部７２２を介して延出部７２に伝達された光源装置４１の熱が、本体部７１に伝導されにくくなるように形成されている。
放熱部７２５は、図１０に示すように、延出部７２における収容体５に当接する面７２Ａとは反対方向側の面７２Ｂに位置する。この放熱部７２５は、当該面７２Ｂにおける２つの開口部７２４の間に位置する。すなわち、放熱部７２５は、延出部７２における光源装置４１からの熱が最も伝達されやすい位置に形成されている。この放熱部７２５は、凹凸により構成されたフィン状を有し、当該延出部７２の表面積を拡大させる。この放熱部７２５により、光源装置４１から伝達された熱が放熱される。
【００４７】
［突出部の構成］
突出部７３は、図９及び図１０に示すように、本体部７１における＋Ｘ方向側の端部から−Ｚ方向側に突出する部位である。具体的に、突出部７３は、当該端部からＹＺ平面に沿う第１面部７３１と、当該第１面部７３１における−Ｚ方向側の端部と接続されてＸＹ平面に沿う第２面部７３２とを有し、これらにより略Ｌ字状に形成されている。
第１面部７３１は、取付部６２の第１面６２３Ａに対向する位置に配置され、当該第１面６２３Ａに光源装置４１から出射された光が入射されることを抑制する。
第２面部７３２は、上記第１面６２３Ａに直交する面に対向する位置に配置され、当該面の一部に上記光が入射されることを抑制する。
【００４８】
このような突出部７３は、凹部７４、第１板状部７５及び第２板状部７６を有する。
凹部７４は、第１面部７３１及び第２面部７３２の交差部分で、かつ、突出部７３において＋Ｙ方向側の部位に位置する。この凹部７４には、中間部材７に光源装置４１（収容体５）が＋Ｙ方向側から装着される際に、上記係止部５３３が＋Ｙ方向側から挿入される。これにより、突出部７３は、上記延出部７２とともに光源装置４１を支持する。
【００４９】
第１板状部７５は、本発明の固定部に相当し、上記凹部７４の端縁における＋Ｘ方向側の端部から、＋Ｘ方向に延出する板状の部位である。この第１板状部７５は、上記突出部６２３の上側面６２３Ｂ１に対向する位置に配置されており、当該第１板状部７５は、孔部７５１及び凸部７５２を有する。
孔部７５１は、第１板状部７５の略中央に形成され、当該孔部７５１には、ねじ孔６２３２（図８参照）に固定されて中間部材７を取付部６２に取り付けるねじＳ１が挿入される。
凸部７５２は、本発明の本体部側凸部（接続部）に相当し、第１板状部７５の＋Ｚ方向側の面７５Ａに位置し、上記孔部７５１の周囲に環状に形成されている。この凸部７５２における＋Ｚ方向側の面は、上記凸部６２３１における−Ｚ方向側の面と当接する。
【００５０】
第２板状部７６は、本発明の固定部に相当し、上記第１面部７３１における−Ｚ方向側の端部で、かつ、上記第２面部７３２における−Ｙ方向側の部位と接続される位置に、＋Ｘ方向に沿って延出する板状の部位である。この第２板状部７６は、上記突出部６２３の下側面６２３Ｂ２に対向する位置に配置されており、当該第２板状部７６は、孔部７６１、凸部７６２及び位置決め突起７６３を有する。
孔部７６１は、第２板状部７６の略中央に形成され、当該孔部７６１には、ねじ孔６２３４（図８参照）に固定されて中間部材７を取付部６２に取り付けるねじＳ１が挿入される。
凸部７６２は、本発明の本体部側凸部（接続部）に相当し、第２板状部７６の＋Ｚ方向側の面７６Ａに位置し、上記孔部７６１の周囲に環状に形成されている。この凸部７６２における＋Ｚ方向側の面は、上記凸部６２３３における−Ｚ方向側の面と当接する。
位置決め突起７６３は、上記面７６Ａに位置し、当該面７６Ａから＋Ｚ方向に突出する部位であり、上記位置決め孔６２３５に挿入され、中間部材７を位置決めする。
【００５１】
［中間部材の取付構造］
図１１〜図１３は、中間部材７が光学部品用筐体６に固定された状態を示す図である。すなわち、図１１〜図１３は、中間部材７が光学部品用筐体６に固定された状態を＋Ｘ方向側、−Ｘ方向側、及び、＋Ｙ方向側のそれぞれから見た側面図である。
中間部材７は、図１１に示すように、光学部品用筐体６にねじＳ１により固定される。このようなねじＳ１には、ナットＳ２が螺合される。詳述すると、ねじＳ１は、上述したように、本体部７１の孔部７１４、第１板状部７５の孔部７５１及び第２板状部７６の孔部７６１にそれぞれ挿通される。また、ナットＳ２は、図１１に示すように、取付部６２のねじ孔６２３２，６２３４よりも＋Ｚ方向側の位置に配置され、当該ねじ孔６２３２，６２３４を挿通したねじＳ１に螺合する。
なお、ナットＳ２は、ねじ孔６２１３を挿通したねじＳ１に螺合してもよい。これにより、中間部材７は、光学部品用筐体６に固定される。
【００５２】
このような中間部材７は、図１１〜図１３に示すように、光学部品用筐体６に一定の隙間ＧＰ（ＧＰ１〜ＧＰ３）を開けた状態で固定される。凸部７１３の＋Ｚ方向に沿う方向の寸法は、上記第２凹部６２１２の深さ寸法よりも大きく設定され、第１当接部７１５の＋Ｚ方向に沿う方向の寸法は、上記第１凹部６２１１の深さ寸法よりも大きく設定されている。また、第２当接部７１６の＋Ｚ方向に沿う方向の寸法は、上記凹部６２２１の深さ寸法よりも大きく設定されている。このため、本体部７１と取付部６２の第１起立部６２１及び第２起立部６２２との間には、図１２に示すように、隙間ＧＰ１が形成され、当該隙間ＧＰ１の寸法Ｌ１は、例えば、略０．３５ｍｍに設定されている。
すなわち、本体部７１においては、上記凸部７１３、第１当接部７１５及び第２当接部７１６の＋Ｚ方向側の面のみが取付部６２（第１起立部６２１及び第２起立部６２２）に当接している。
【００５３】
また、中間部材７の第１板状部７５の凸部７５２及び第２板状部７６の凸部７６２の＋Ｚ方向側の面のそれぞれは、光学部品用筐体６の取付部６２の突出部６２３における凸部６２３１及び凸部６２３３の−Ｚ方向側の面に当接している。また、これら凸部７５２、凸部７６２、凸部６２３１及び凸部６２３３の＋Ｚ方向に沿う方向の寸法は、略同一に設定される。このため、第１板状部７５と取付部６２との間には、図１３に示すように、隙間ＧＰ２が形成され、当該隙間ＧＰ２の寸法Ｌ２は、例えば、０．６０ｍｍに設定されている。また、第２板状部７６と取付部６２との間には、図１１に示すように、隙間ＧＰ３が形成され、例えば、当該隙間ＧＰ３の寸法Ｌ３は、略０．６８ｍｍに設定されている。
すなわち、第１板状部７５及び第２板状部７６においては、上記凸部７５２及び凸部７６２の＋Ｚ方向側の面のみが取付部６２（突出部６２３）に当接している。
なお、本実施形態では、上記隙間ＧＰ１〜ＧＰ３の寸法Ｌ１〜Ｌ３は、それぞれ異なることとしたが、これに限らず、例えば、上記隙間ＧＰ１〜ＧＰ３の寸法Ｌ１〜Ｌ３は、同一の寸法に設定されていてもよい。
【００５４】
［光源装置からの熱伝達］
上記のように中間部材７が光学部品用筐体６に固定されると、光源装置４１が中間部材７に固定され、図４に示す状態となり、光源装置４１に電力が供給されると、光源装置４１の温度が上昇する。この光源装置４１の熱は、収容体５の中間部材７に係合する係止部５３３及び２つのピン５３４から、中間部材７へと伝達する。
ここで、収容体５において、光源装置４１の収容体５内を流通する冷却気体は、収容体５のダクト部材５Ｃの導入口５Ｃ１から流入し、右側面部５６の排気口５Ｃ２に向かって流通するので、２つのピン５３４近傍が最も高温となる。
これに対し、本実施形態では、延出部７２には、２つのピン５３４が挿入される２つの被挿入部７２１の＋Ｚ方向側の位置に２つの開口部７２４が形成され、当該２つの開口部７２４の間に放熱部７２５が形成されている。このため、２つのピン５３４からの熱が延出部７２に伝達され、凸部７２２に沿って＋Ｚ方向に伝導しても、開口部７２４により当該熱が本体部７１に最短距離にて伝導されることが抑制される。また、上記冷却装置等によって冷却気体が当該開口部７２４を流通すると、当該冷却気体により中間部材７（特に、本体部７１及び延出部７２）が冷却されるので、中間部材７の温度が上昇することが抑制される。更に、放熱部７２５が形成されているので、当該放熱部７２５によって上記熱を放熱できる。
【００５５】
また、上述したように、本実施形態では、中間部材７は、光学部品用筐体６に隙間ＧＰを有した状態で固定されているので、中間部材７と光学部品用筐体６との接触面積を小さくできるので、上記熱が光学部品用筐体６に伝達されることが抑制される。更に、上記中間部材７と光学部品用筐体６との当接部位は、光源装置４１の光出射面４１Ａよりも外側に位置し、かつ、ねじＳ１により固定される２つの部位（第１板状部７５及び第２板状部７６）は、当該光出射面４１Ａよりも光源装置４１側、すなわち、−Ｚ方向に位置している。このため、中間部材７と光学部品用筐体６とが当接する部位においても、上記熱が伝達しにくくなっている。
【００５６】
［実施形態の効果］
以上説明した本実施形態に係るプロジェクター１は、以下の効果を奏する。
光源装置４１は、中間部材７を介して光学部品用筐体６に取り付けられるので、光源装置４１が光学部品用筐体６に直接接続される場合に比べて、光源装置４１（収容体５）の熱を光学部品用筐体６に伝達しにくくすることができる。また、金属材料（マグネシウム）により形成される収容体５の熱が直接伝達される中間部材７は、金属材料（マグネシウム）により形成されているので、当該中間部材７に上記熱が伝達される際に、上記熱の一部が放熱される。これによれば、光源装置４１からの熱の少なくとも一部が中間部材７により放熱された後に、樹脂材料により形成される光学部品用筐体６に伝達される。従って、光学部品用筐体６の劣化を抑制することができる。
ここで、光学部品用筐体６の劣化が生じた場合、光源装置４１から出射される光の中心軸が設計上の光軸からずれる可能性がある。この場合、光源装置４１から出射された光を有効に用いることができないので、プロジェクター１の投射光学装置４６から投射される画像の光量が低下する可能性がある。
これに対し、本実施形態では、光学部品用筐体６の劣化を抑制できるので、プロジェクター１の信頼性を高めることができる。
【００５７】
ここで、金属材料は、高温になると膨張することが知られている。このため、収容体５を形成する金属材料と、中間部材７を形成する金属材料の成分が異なる場合、熱の上昇による膨張率が異なるため、当該中間部材７に光源装置４１を装着できない場合、及び、当該中間部材７から光源装置４１を取外しできない可能性がある。
これに対し、本実施形態では、収容体５及び中間部材７が同一の金属材料により形成されているので、収容体５及び中間部材７が熱により膨張した場合でも、中間部材７に対して光源装置４１を容易に脱着できる。
【００５８】
光学部品用筐体６と接続される第１板状部７５及び第２板状部７６の凸部７５２，７６２が、収容体５と接続される延出部７２とは異なる突出部７３に位置するので、延出部７２を介して中間部材７に伝導される収容体５の熱を、光学部品用筐体６に伝わりにくくすることができる。従って、第１板状部７５の凸部７５２及び第２板状部７６の凸部７６２の劣化を抑制でき、ひいては、当該第１板状部７５及び第２板状部７６により本体部７１及び突出部７３に接続される光学部品用筐体６の劣化を抑制できる。
【００５９】
中間部材７と光学部品用筐体６とは、凸部７１３及び凸部７５２，７６２のみが当接するので、本体部７１の全領域と光学部品用筐体６の全領域とが当接する場合に比べて、光学部品用筐体６と本体部７１との接触面積が小さくすることができる。従って、本体部７１から光学部品用筐体６に熱を伝わりにくくすることができる。
【００６０】
中間部材７が光学部品用筐体６に取り付けられた際に、凸部７５２，７６２及び凸部６２３１，６２３３が当接するので、本体部７１の全領域と光学部品用筐体６の全領域とが当接する場合に比べて、本体部７１に伝達された上記熱が光学部品用筐体６に伝達されることを抑制できる。また、中間部材７及び光学部品用筐体６のいずれにも凸部が設けられているので、例えば、中間部材７にのみ凸部が設けられている場合に比べて、光学部品用筐体６の当該凸部が当接する部位の劣化を抑制できる。
【００６１】
ここで、ねじは、一般的に熱伝導率が高い金属材料により形成されているので、当該ねじの温度は、例えば、樹脂材料により形成された光学部品用筐体６よりも上昇しやすい。
これに対し、本実施形態では、凸部７１３及び凸部７５２，７６２は、上記ねじＳ１が挿通する孔部７１４，７５１，７６１を有しているので、当該ねじＳ１を凸部７１３及び凸部７５２，７６２により覆うことができる。従って、ねじＳ１からの熱が光学部品用筐体６に伝達することを抑制できる。
【００６２】
ここで、収容体５において、光源装置４１の収容体５内を流通する冷却気体は、収容体５のダクト部材５Ｃの導入口５Ｃ１から流入し、収容体５の右側面部５６の排気口５Ｃ２に向かって流通するので、２つのピン５３４近傍が最も高温となる。
これに対し、本実施形態によれば、収容体５の２つのピン５３４が延出部７２の被挿入部７２１に挿入されるので、例えば、当該最も温度が上昇する部位が本体部７１に固定される場合に比べて、中間部材７の温度が上昇することを抑制できる。また、開口部７２４が被挿入部７２１よりも本体部７１側に形成されているので、中間部材７の延出部７２に収容体５から伝達された熱が直線的に本体部７１に伝導されることを抑制できる。すなわち、延出部７２の熱が開口部７２４を避けて本体部７１に伝導されるので、開口部７２４が形成されていない場合に比べて、本体部７１の熱が上昇することを抑制できる。
【００６３】
延出部７２に放熱部７２５が形成されているので、収容体５からの熱を当該放熱部７２５により放熱することができる。従って、本体部７１に熱が伝導されることをより抑制できるので、光学部品用筐体６の劣化を更に抑制できる。
【００６４】
２つのピン５３４と異なる位置に設けられた係止部５３３が、本体部７１（突出部７３）における延出部７２とは反対側の位置に形成された凹部７４に挿入されるので、収容体５は、それぞれ異なる部位に位置する係止部５３３及び２つのピン５３４により中間部材７に支持される。これによれば、収容体５を中間部材７に確実に固定できる。
【００６５】
第１板状部７５及び第２板状部７６が、光源装置４１における光出射面４１Ａよりも光の進行方向とは反対方向側（−Ｚ方向側）に位置するので、当該第１板状部７５及び第２板状部７６に光源装置４１からの光が照射されることがない。従って、第１板状部７５及び第２板状部７６の温度が上昇することを抑制できるので、中間部材７から光学部品用筐体６に上記光源装置４１からの熱が伝達することを抑制でき、当該光学部品用筐体６の劣化を抑制できる。
【００６６】
［実施形態の変形］
本発明は、上記実施形態に限定されるものではなく、本発明の目的を達成できる範囲での変形、改良等は本発明に含まれるものである。
上記実施形態では、中間部材７は、収容体５と同一の金属材料（例えば、マグネシウム）により形成されることとした。しかしながら、本発明は、これに限らない。例えば、中間部材７は、収容体５とは異なる金属材料により形成されるようにしてもよい。
また、中間部材７は、金属材料により構成されなくてもよい。すなわち、中間部材７は、収容体５からの熱を光学部品用筐体６に伝達されることを抑制できる材料により構成されていればよい。例えば、中間部材７は、耐熱性のガラス等により形成されていてもよい。
【００６７】
上記実施形態では、第１板状部７５及び第２板状部７６は突出部７３に設けられ、当該第１板状部７５及び第２板状部７６は、光源装置４１の光出射面４１Ａよりも−Ｚ方向側（出射方向基端側）に位置することとした。しかしながら、本発明は、これに限らない。例えば、第１板状部７５及び第２板状部７６は、第２起立部６２２に設けられてもよい。この場合、取付部６２は、突出部６２３を有さなくてもよい。これによれば、第１起立部６２１に１つのねじＳ１が固定され、他の２つのねじＳ１が第２起立部６２２に固定される。この場合であっても、第１板状部７５及び第２板状部７６は、光源装置４１の光出射面４１Ａよりも外側（＋Ｘ方向側の端部）に位置するので、光源装置４１から出射される光が入射される可能性が低いので、上記実施形態と同様の効果を奏することができる。
【００６８】
上記実施形態では、本体部７１は、凸部７１３を有し、第１板状部７５及び第２板状部７６は、凸部７５２及び凸部７６２を有することとした。しかしながら、本発明は、これに限らない。例えば、本体部７１、第１板状部７５及び第２板状部７６は、上記凸部７１３及び凸部７５２，７６２を有さなくてもよい。この場合であっても、光源装置４１は、中間部材７を介して光学部品用筐体６に取り付けられるので、当該光源装置４１が直接光学部品用筐体６に取り付けられる場合に比べて、当該光学部品用筐体６の熱による劣化を抑制できる。
また、上記の場合において、例えば、光学部品用筐体６の取付部６２における凸部７１３、凸部７５２及び凸部７６２のそれぞれに対向する位置から当該中間部材７に向けて突出する突出部を有することとしてもよい。この場合であっても、中間部材７と光学部品用筐体６との間に隙間ＧＰを設けることができるので、上記実施形態と同様の効果を奏することができる。
なお、これと同様に、取付部６２は、凸部６２３１，６２３３を有さなくてもよい。
【００６９】
上記実施形態では、中間部材７が光学部品用筐体６に取り付けられた際に、凸部７５２及び凸部７６２の＋Ｚ方向側の面は、取付部６２の凸部６２３１，６２３３の−Ｚ方向側の面に当接することとした。しかしながら、本発明は、これに限らない。例えば、凸部７５２及び凸部７６２の＋Ｚ方向側の面は、取付部６２の凸部６２３１，６２３３の−Ｚ方向側の面に当接しなくてもよい。例えば、凸部７５２，７６２は、凸部６２３１，６２３３を内包する形状であってもよい。これによれば、凸部７５２の内側に凸部６２３１が位置し、凸部７６２の内側に凸部６２３３が位置することとなる。この場合、これら凸部７５２，７６２及び凸部６２３１，６２３３の＋Ｚ方向に沿う方向の寸法は、上記実施形態の略２倍に設定すればよい。この場合であっても、上記実施形態と同様の効果を奏することができる。
【００７０】
上記実施形態では、ねじＳ１を固定部材として用いることとした。しかしながら、本発明は、これに限らない。例えば、固定部材は、ピン及び当該ピンを固定する固定部材により構成されてもよいし、クリップ等であってもよいし、耐熱性の接着剤等であってもよい。この場合、取付部６２及び中間部材７に設けられた上記ねじＳ１を挿入する孔はなくてもよい。また、ナットＳ２は、なくてもよい。
【００７１】
上記実施形態では、収容体５は、係止部５３３及び２つのピン５３４を有し、当該係止部５３３及び２つのピン５３４が中間部材７の凹部７４及び被挿入部７２１に挿入されることにより固定されることとした。しかしながら、本発明は、これに限らない。例えば、収容体５は、側面部５５，５６に＋Ｙ方向に延びるレール部材を有し、中間部材７が当該レールを支持する溝を有するようにしてもよい。この場合であっても、中間部材７に収容体５を固定できる。
【００７２】
上記実施形態では、延出部７２は、２つの開口部７２４を有することとした。しかしながら、本発明は、これに限らない。例えば、延出部７２は、開口部７２４を有さなくてもよいし、いずれか一方の開口部７２４のみを有することとしてもよい。また、当該開口部７２４は、２つの被挿入部７２１よりも本体部７１側に形成されることとしたが、これに限らず、当該２つの被挿入部７２１と＋Ｚ方向に沿う方向に並んで形成されることとしてもよいし、本体部７１とは反対方向側に位置することとしてもよい。更に、開口部７２４は、３つ以上形成されてもよい。
【００７３】
上記実施形態では、延出部７２は、放熱部７２５を有することとした。しかしながら、本発明は、これに限らない。例えば、延出部７２を有さなくてもよい。また、放熱部７２５は、延出部７２の−Ｙ方向側の７２Ｂ面における２つの開口部７２４の間に位置することとしたが、これに限られず、例えば、開口部７２４の外側に位置してもよいし、＋Ｚ方向側の面７２Ａに位置することとしてもよい。更に、放熱部７２５は、複数の凹凸により形成されていることとしたが、流通される冷却気体の流通方向に沿って延びる板状のフィンを複数設けてもよい。
【００７４】
上記実施形態では、収容体５は、２つのピン５３４とは異なる位置に係止部５３３を有することとした。しかしながら、本発明は、これに限らない。例えば、第２突起部として係止部５３３を設けなくてもよい。この場合であっても、少なくとも２つのピン５３４により中間部材７に収容体５を固定できる。
上記実施形態では、収容体５は、２つのピン５３４を有することとした。しかしながら、本発明は、これに限らない。例えば、収容体５は、２つのピン５３４に代えて２つの被挿入部を有し、延出部７２が被挿入部７２１に代えて＋Ｙ方向に突出する突出部を有することとしてもよい。この場合であっても、上記実施形態と同様の効果を奏することができる。
【００７５】
上記実施形態では、プロジェクター１は、３つの光変調装置４５３（４５３Ｒ，４５３Ｇ，４５３Ｂ）を備えるとした。しかしながら、これに限らず、例えば２つ以下、或いは、４つ以上の光変調装置を備えたプロジェクターにも、本発明は適用可能である。
また、光変調装置４５３は、光入射面と光出射面とが異なる液晶パネルを有する構成であった。しかしながら、これに限らず、光入射面と光出射面とが同一となる反射型の液晶パネルを備えた光変調装置を採用してもよい。また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を採用してもよい。
【符号の説明】
【００７６】
１…プロジェクター、５…収容体、６…光学部品用筐体（保持部材）、７…中間部材、４１…光源装置、４１Ａ…光出射面、４５３…光変調装置、４６…投射光学装置、６２…取付部、７１…本体部、７２…延出部、７３…突出部、７４…凹部、７５…第１板状部（固定部）、７６…第２板状部（固定部）、５３３…係止部（第２突起部）、５３４…ピン（第１突起部）、６２１…第１起立部、６２２…第２起立部、６２３…突出部、７１３…凸部（接続部）、７１４…孔部、７１５…第１当接部、７２１…被挿入部、７２４…開口部、７２５…放熱部、７５１…孔部、７５２…凸部（接続部・本体部側凸部）、７６１…孔部、７６２…凸部（接続部・本体部側凸部）、６２１１…第１凹部、６２１２…第２凹部、６２３１…凸部（保持部材側凸部）、６２３２…ねじ孔、６２３３…凸部（保持部材側凸部）、６２３４…ねじ孔、ＧＰ，ＧＰ１，ＧＰ２，ＧＰ３…隙間、Ｌ１，Ｌ２，Ｌ３…寸法、Ｓ１…ねじ、Ｓ２…ナット。
【図１】
2018017958.tif 000003
【図２】
2018017958.tif 000004
【図３】
2018017958.tif 000005
【図４】
2018017958.tif 000006
【図５】
2018017958.tif 000007
【図６】
2018017958.tif 000008
【図７】
2018017958.tif 000009
【図８】
2018017958.tif 000010
【図９】
2018017958.tif 000011
【図１０】
2018017958.tif 000012
【図１１】
2018017958.tif 000013
【図１２】
2018017958.tif 000014
【図１３】
2018017958.tif 000015